(57)【要約】      （修正有）【課題】アクチュエータのヘッド部に対して作業を行う際にヘッド部の破損を防止する。【解決手段】回動支点とは反対側の先端部分にヘッドを有するアクチュエータに装着される治具３１において、走査面が互いに対向するヘッドが設けられた隣接するサスペンションの第１の対の間に挿入されて第１の対を支持する櫛歯３４と、走査面とは反対側の背面が互いに対向するヘッドが設けられた隣接するサスペンションの第２の対の間に挿入されて第２の対を規制する仕切り板３５を備えるように構成する。【選択図】図９
2009223973.tif 000002
【特許請求の範囲】
【請求項１】
回動支点とは反対側の先端部分にヘッドを有するアクチュエータに装着される治具であって、
走査面が互いに対向するヘッドが設けられた隣接するサスペンションの第１の対の間に挿入されて該第１の対を支持する櫛歯と、
該走査面とは反対側の背面が互いに対向するヘッドが設けられた隣接するサスペンションの第２の対の間に挿入されて該第２の対を規制する仕切り板を備えた、治具。
【請求項２】
該櫛歯は、該アクチュエータの長手方向上、該回動支点と該ヘッドとの間の位置に挿入され、
該仕切り板は、該アクチュエータの先端部分に挿入される、請求項１記載の治具。
【請求項３】
位置決め用シャフトと、
基部が該位置決め用シャフトに結合され、先端が該櫛歯及び該仕切り板に結合されたヘッド固定用アームを更に備え、
該治具は、該位置決め用シャフトが該アクチュエータに設けられたヘッドクリップ挿入用穴に挿入された状態で該アクチュエータに対して回動されることで該櫛歯及び該仕切り板が該隣接するサスペンションの第１の対及び第２の対の間に挿入される、請求項１又は２記載の治具。
【請求項４】
該櫛歯及び該仕切り板は、該治具が該アクチュエータに対して回動されると、該櫛歯が先に該隣接するサスペンションの第１の対の間に挿入されてから該仕切り板が該隣接するサスペンションの第２の対の間に挿入される形状を有する、請求項３記載の治具。
【請求項５】
該治具が該アクチュエータに対して回動される際に最初に該隣接するサスペンションの第１の対の間に挿入される該櫛歯と第２の対の間に挿入される該仕切り板の各部分はテーパ形状を有する、請求項３又は４記載の治具。
【請求項６】
該ヘッド固定用アームに設けられ、該ヘッド固定用アームが該位置決め用シャフトから延びる方向に沿って延在する透明板を更に備え、
該仕切り板は該透明板に設けられている、請求項３乃至５のいずれか１項記載の治具。
【請求項７】
該治具が該アクチュエータに装着された状態で、該アクチュエータの長手方向と略直交する方向に延在して該アクチュエータの先端部分を保護するカバーを更に備えた、請求項６記載の治具。
【請求項８】
単一のサスペンション及び該単一のサスペンションに設けられた単一のヘッドを有するヘッド部を該アクチュエータから取り外す際に、該ヘッド部と該アクチュエータとの間に挿入されるテーパ刃を更に備えた、請求項１乃至７のいずれか１項記載の治具。
【発明の詳細な説明】
【技術分野】
【０００１】
本発明は、治具に係り、特に磁気記憶装置に用いられるアクチュエータからヘッド部を取り外すのに適した治具に関する。
【背景技術】
【０００２】
磁気記憶装置は、複数の磁気記録媒体及び情報記録再生用の複数のヘッドを備える。磁気ディスク装置では、複数の磁気ディスクが所定間隔で同軸状に設けられ、各磁気ディスクの記録面に対して１つのヘッドがヘッドアクチュエータの先端部分に設けられている。ヘッドを含むヘッド部は、複数積層されているので、複数のヘッド部で構成されたヘッドアセンブリはＨＳＡ（Head Stack Assembly）とも呼ばれる。例えば、ヘッドが故障したりヘッドの寿命が来ると、このヘッドを有するヘッド部分のみを交換することができる。アクチュエータからヘッド部分を取り外す際及びヘッド部分をアクチュエータに取り付ける際には、ヘッドクリップが用いられ、ヘッドクリップによりヘッド同士の接触や衝突を防止した状態で作業が行われる。
【０００３】
図１は、従来のヘッドクリップの一例を示す斜視図である。図１に示すヘッドクリップ１は、位置決め用シャフト２、ヘッド固定用アーム３及び複数の櫛歯４を有する。
【０００４】
図２及び図３は、ヘッドクリップのアクチュエータへの装着を説明する図である。図２中、（ａ）はヘッドクリップ１がアクチュエータ１１に装着された状態を示す側面図、（ｂ）はヘッドクリップ１が装着される前の状態のアクチュエータ１１を示す上面図である。図２に示すように、アクチュエータ１１は、アクチュエータブロック１２、コイル１３、ユニットベアリング１４、ヘッドクリップ挿入用穴１５、サスペンション１６及びヘッドアセンブリ１７を有する。アクチュエータ１１には、複数のサスペンション１６及びヘッドアセンブリ１７が設けられている。
【０００５】
ヘッドクリップ１は、シャフト２をアクチュエータ１１の上面側から穴１５に挿入してシャフト２を中心に回動させることでアクチュエータ１１に装着される。図３は、ヘッドクリップ１が装着される様子を示すアクチュエータ１１の底面図である。ヘッドクリップ１がアクチュエータ１１に装着された状態では、櫛歯４が隣り合う２つのサスペンション１６の間に挿入され、ヘッドアセンブリ１７においてこれらのサスペンション１６の先端部分に設けられたヘッド１８同士が衝突するのを防止する。
【０００６】
図４は、ヘッドアセンブリ１７から１つのヘッド部が取り外された状態、或いは、ヘッドアセンブリ１７に１つのヘッド部を取り付ける状態を説明する側面図である。図５は、１つのヘッド部を示す上面図である。図６は、図５のヘッド部の破線で囲んだ部分を拡大して示す図である。図５中、（ａ）はベースプレート部分の上面図、（ｂ）はベースプレート部分の側面図である。
【０００７】
図５に示すヘッド部１７−１の基部には、穴が形成されたボス部１７２を有するベースプレート１７１が設けられている。図６（ｂ）に示すように、ヘッド部１７−１をアクチュエータ１１に取り付ける際には、ボス部１７２がアクチュエータ１１の対応する係合部に形成された開口部に嵌合した状態で、治具（図示せず）のかしめボール１７９をボス部１７２の穴に挿入して穴の内径を押し広げることで、ボス部１７２をアクチュエータ１１の対応する係合部に取り付けることができる。ヘッド部１７−１をアクチュエータ１１から取り外す際には、ボス部１７２において、ベースプレート１７１とアクチュエータ１１との間に治具のテーパ刃を対向する二カ所から挿入し、かしめられたボス部１７２をアクチュエータ１１の係合部から分離することで、ヘッド部１７−１をアクチュエータ１１から取り外すことができる。
【０００８】
しかし、ヘッド部１７−１をアクチュエータ１１に取り付けたり、アクチュエータ１１から取り外したりする際には、ヘッドクリップ１の櫛歯４が隣接するサスペンション１６に設けられた対向するヘッド１８同士の衝突を防止しているものの、ヘッド１８が設けられていない面同士が対向する隣接するサスペンション１６同士の衝突は防止できない。特に、ヘッド部１７−１をアクチュエータ１１から取り外す際には、サスペンション１６の剛性が比較的低いため、かしめられたボス部１７２をアクチュエータ１１の係合部から分離する時にサスペンション１６がアクチュエータ１１から図７に矢印Ｆで示す方向に浮き上がり櫛歯４が支点となるような形で図７図中時計方向に回動するため、ヘッド部１７−１が隣接するヘッド部分１７−１と衝突し易い。つまり、隣接するサスペンション１６が衝突することによりヘッド１８の背面同士が接触し易い。図７は、ヘッド部１７−１の浮き上がりを説明する図であり、ヘッドクリップ１が装着された状態のアクチュエータ１１を示す側面図である。
【０００９】
アクチュエータアセンブリを輸送する際に用いる治具の一例は、特許文献１にて提案されている。
【特許文献１】特開２００５−１７４４５９号公報
【発明の開示】
【発明が解決しようとする課題】
【００１０】
従来、ヘッドクリップ１がアクチュエータ１１に装着された状態であっても、ヘッド部１７−１をヘッドアセンブリ１７から取り外す際、或いは、ヘッド部１７−１をヘッドアセンブリ１７に取り付ける際に隣接するサスペンション１６が衝突することによりヘッド１８の背面同士が接触してヘッド部１７−１、特にサスペンション１６が変形する等して破損する可能性があるという問題があった。このような問題は、ヘッド部１７−１がかしめ以外の方法でアクチュエータ１１に取り付けられている場合にも同様に発生するものである。
【００１１】
そこで、本発明は、アクチュエータのヘッド部に対して作業を行う際にヘッド部の破損を防止可能な治具を提供することを目的とする。
【課題を解決するための手段】
【００１２】
本発明の一観点によれば、回動支点とは反対側の先端部分にヘッドを有するアクチュエータに装着される治具であって、走査面が互いに対向するヘッドが設けられた隣接するサスペンションの第１の対の間に挿入されて該第１の対を支持する櫛歯と、該走査面とは反対側の背面が互いに対向するヘッドが設けられた隣接するサスペンションの第２の対の間に挿入されて該第２の対を規制する仕切り板を備えた治具が提供される。
【発明の効果】
【００１３】
開示の治具によれば、アクチュエータのヘッド部に対して作業を行う際にヘッド部の破損を防止可能となる。
【発明を実施するための最良の形態】
【００１４】
開示の治具は、サスペンションを有するアクチュエータに装着される。治具がアクチュエータに装着された状態では、走査面が互いに対向するヘッドが設けられた隣接するサスペンションの間に治具の櫛歯が挿入され、走査面とは反対側の背面が互いに対向するヘッドが設けられた隣接するサスペンションの間に治具の仕切り板が挿入される。櫛歯はサスペンションを支持し、仕切り板はサスペンションを規制する。この場合、櫛歯を有する治具と仕切り板を有する治具は別体であっても良い。
【００１５】
これにより、ヘッドの走査面同士の衝突は治具の櫛歯により防止され、ヘッドの背面同士の衝突は治具の仕切り板により防止される。
【００１６】
以下に、本発明の治具及び治具を用いた作業方法の各実施例を、図７以降と共に説明する。
【実施例１】
【００１７】
図８は、アクチュエータを有する磁気記憶装置の一例を示す平面図である。この例では、磁気記憶装置は、磁気記録媒体として磁気ディスクを用いる磁気ディスク装置である。
【００１８】
図８に示す磁気ディスク装置２１は、ベース２２上にアクチュエータ１１、ロード・アンロード（Load Unload）機構２３、磁気ディスク２５等が設けられた周知の構成を有する。アクチュエータ１１は、図２と共に説明した構成を有するので、その詳細な説明は省略する。アクチュエータ１１のサスペンション１６の先端部分に設けられたヘッド１８は、ヘッド１８の走査面が磁気ディスク２５の記録面から所定量浮上した状態で、モータ（図示せず）により回転される磁気ディスク２５に信号を記録し、磁気ディスク２５に記録された信号を再生する。尚、アクチュエータ１１に設けられたサスペンション１６の数及びヘッド１８の数は、複数であれば特に限定されない。
【００１９】
説明の便宜上、アクチュエータ１１はロード・アンロードタイプのものなので、磁気ディスク装置２１のモードに応じて、ヘッド１８はロード・アンロード機構２３からアンロードされて磁気ディスク２５上に移動し、磁気ディスク２５上からロード・アンロード機構２３にロードされる。アクチュエータ１１のサスペンション１６の先端部分にはロード・アンロード機構２３と係合可能なロード・アンロード用タブ１６−１が設けられている。ロード・アンロード用タブ１６−１は、例えばサスペンション１６と一体的に形成されている。このロード・アンロード用タブ１６−１が、ロード・アンロード機構２３の案内面に沿って案内されることで、ヘッド１８のロード・アンロード機構２３に対するロード・アンロードが行われる。ヘッド１８がロード・アンロード機構２３にロードされた状態では、ヘッド１８は磁気ディスク２５の記録面上を避けた位置に退避している。
【００２０】
図９は、本発明の第１実施例における治具を示す斜視図である。本実施例では、本発明がヘッドクリップに適用されている。図９に示すヘッドクリップ３１は、位置決め用シャフト３２、ヘッド固定用アーム３３、複数の櫛歯３４、複数の仕切り板３５、つまみ部３６、係合部３７及び背面板３８を有する。背面板３８はヘッド固定用アーム３３に結合されており、各仕切り板３５は背面板３８上に設けられている。櫛歯３４は、走査面が互いに対向するヘッド１８が設けられた隣接するサスペンション１６の第１の対の間に挿入され、仕切り板３５は、走査面とは反対側の背面が互いに対向するヘッド１８が設けられた隣接するサスペンション１６の第２の対の間に挿入される。
【００２１】
ヘッドクリップ３１の背面板３８以外の部分に用いる材料は特に限定されないが、静電気を生じにくい材料で形成することが望ましい。例えば、ヘッドクリップ３１の背面板３８以外の部分は、抵抗値が約１×１０１２Ω・ｍ以下の材料で形成される。抵抗値が約１×１０１２Ω・ｍ以下の材料としては、例えば導電性の金属又は樹脂が含まれ、このような金属は例えばステンレス工具鋼STAVAX、このような樹脂は例えば大塚化学社製のウィスタットである。又、ヘッドクリップ３１は一体形成されていても、複数の部分が接着された構成を有するものであっても良い。尚、ヘッドクリップ３１のうち、少なくともアクチュエータ１１と直接接触する部分を静電気を生じにくい材料で形成するようにしても良いことは言うまでもない。背面板３８は、透明板とすることで、ヘッドクリップ３１をアクチュエータ１１に装着した状態でも外部からヘッド部分１７−１を見やすくすることができ、アクチュエータ１１に対して行う作業の作業性が向上する。背面板３８を透明板とする場合、導電性の透明材料を用いることができ、例えばアキレス社製のSTポリを用いることができる。
【００２２】
図１０は、背面板３８とヘッドクリップ３１を示す図である。図１０中、（ａ）は背面板３８の側面図、（ｂ）はヘッドクリップ３１の正面図、（ｃ）はヘッドクリップ３１の上面図である。図１０（ａ）中破線で囲んで示す各仕切り板３５の先端部分は、テーパ形状を有する。又、図１０（ｃ）中破線で囲んで示す各櫛歯３４の先端部分は、テーパ形状を有する。
【００２３】
図１１は、ヘッドクリップ３１が装着される様子を示すアクチュエータ１１の底面図である。図１２は、ヘッドクリップ３１のアクチュエータ１１への装着を説明する正面図である。
【００２４】
図１１において、ヘッドクリップ３１のアクチュエータ１１への装着を説明する図である。ヘッドクリップ３１は、シャフト３２をアクチュエータ１１の上面側から穴１５に挿入し、つまみ部３６を回してシャフト３２を中心に回動させることでアクチュエータ１１に装着される。ヘッドクリップ３１がアクチュエータ１１に装着される際、先ず各櫛歯３４が走査面が互いに対向するヘッド１８が設けられた隣接するサスペンション１６の第１の対の間に挿入され、次に仕切り板３５が走査面とは反対側の背面が互いに対向するヘッド１８が設けられた隣接するサスペンション１６の第２の対の間に挿入される。ヘッドクリップ３１がアクチュエータ１１に装着されると、係合部３７がアクチュエータ１１の対応する係合部５１と係合して、ヘッドクリップ３１がアクチュエータ１１から容易に離脱しないように仮止めされる。係合部３７とアクチュエータ１１の係合部は、仮止めを可能とする形状を有するものであれば特に限定されず、例えば爪部と凹部、凸部と凹部等の組み合わせである。
【００２５】
図１１に示すようにヘッドクリップ３１がアクチュエータ１１に装着される際に最初にアクチュエータ１１と係合する櫛歯３４及び仕切り板３５の各先端部分は、図１０中破線で囲んで示すようにテーパ形状を有する。テーパ形状は、特に限定されず、一又は複数の傾斜面或いは曲面で形成されていても良い。テーパ形状は、ヘッドクリップ３１がアクチュエータ１１に装着される際に、櫛歯３４及び仕切り板３５がサスペンション１６等と衝突してサスペンション１６等を破損したりサスペンション１６等に大きな衝撃や振動を与えることなく、櫛歯３４及び仕切り板３５が容易、且つ、確実に隣り合う２つのサスペンション１６の間に挿入されるように設けられている。
【００２６】
ヘッドクリップ３１がアクチュエータ１１に装着された状態では、図１２に示すように、各櫛歯３４が走査面が互いに対向するヘッド１８が設けられた隣接するサスペンション１６の第１の対１６１の間に挿入され、次に仕切り板３５が走査面とは反対側の背面が互いに対向するヘッド１８が設けられた隣接するサスペンション１６の第２の対１６２の間に挿入されている。櫛歯３４は、第１の対１６１を構成するサスペンション１６を、アクチュエータ１１の長手方向上、該回動支点と該ヘッドとの間の位置で支持し、サスペンション１６の先端部分に設けられたヘッド１８の走査面同士が衝突するのを防止する。一方、仕切り板３５は、第２の対１６２を構成するサスペンション１６を、アクチュエータ１１の先端部分で規制し、ヘッド１８の背面同士、即ち、第２の対１６２を構成するサスペンション１６の先端部分同士が衝突するのを防止する。第２の対１６２を構成する例えば図１２中右側のサスペンション１６が振動したり、図７と共に説明したような理由で櫛歯３４が支点となるような形で図１２図中時計方向に回動しても、サスペンション１６の許容範囲を超えた変位は仕切り板３５により規制され、隣接する第１の対１６１を構成するサスペンション１６（図１２中、左側のサスペンション１６）に衝突することはない。
【００２７】
ヘッドクリップ３１がアクチュエータ１１に装着される際に仕切り板３５がサスペンション１６と接触する構成とすると、サスペンション１６を破損したりする可能性があるため、本実施例では、ヘッドクリップ３１がアクチュエータ１１に装着された状態でサスペンション１６の第２の対１６２の先端部分と仕切り板３５との間に間隙が形成されている。
【００２８】
次に、ヘッドクリップ３１及びアクチュエータ１１の各部の寸法の一例を、図１３及び図１４と共に説明する。図１３は、図１２において破線で囲んで示すヘッド部１７−１を拡大して示す正面図であり、図１４は、図１２において破線で囲んで示すヘッドクリップ３１を拡大して示す側面図である。
【００２９】
図１３において、Ａは仕切り板３５の縦幅（アクチュエータ１１の長手方向に沿った長さ）を示し、ｔは仕切り板３５の厚さを示し、Ａ１はヘッド部１７−１においてサスペンション１６の先端からヘッド１８の後方端（即ち、アクチュエータの回動支点側の端）までのアクチュエータ１１の長手方向に沿った長さを示す。仕切り板３５がヘッド部１７−１においてヘッド１８を完全に覆うためには、Ａ＞Ａ１に設定することが望ましい。仕切り板３５の厚さｔは、櫛歯３４の挿入により押し広げられてサスペンション１６が変位する量と、サスペンション１６の厚さｔの公差を考慮しても、ヘッドクリップ３１がアクチュエータ１１に装着された状態で仕切り板３５がサスペンション１６と接触しないような値に設定することが望ましい。
【００３０】
図１４において、Ｂは背面板３８から仕切り板３５の横端までの横幅、Ｃは仕切り板３５横端から櫛歯３４の先端までの長さ、Ｄは櫛歯３４の先端のテーパ部分の長さ、Ｅは背面板３８から櫛歯３４の先端までの横幅を示す。櫛歯３４のテーパ部分が隣接するサスペンション１６の第１の対１６１の間を抜け、櫛歯３４の直線部分が第１の対１６１の間に入り始めてから、仕切り板３５が隣接するサスペンション１６の第２の対１６２の間に入るためには、Ｃ＞Ｄ、且つ、Ｂ＝Ｅ−Ｃに設定することが望ましい。
【００３１】
図１５は、第１実施例の変形例における治具を示す斜視図である。図１５中、図９と同一部分には同一符号を付し、その説明は省略する。本変形例では、ヘッドクリップ３１Ａは、ヘッドクリップ３１Ａがアクチュエータ１１に装着された状態で、アクチュエータ１１の長手方向と略直交する方向に延在してアクチュエータ１１の先端部分を保護するカバー３９を更に有する。この例では、カバー３９は、ヘッド固定用アーム３３と一体的に設けられているが、カバー３９とヘッド固定用アーム３３は結合されていれば別体であっても良い。カバー３９が設けられることにより、ヘッドクリップ３１Ａがアクチュエータ１１に装着された状態で、ヘッド部１７−１をより確実に保護することができる。
【００３２】
本実施例及び変形例によれば、ヘッド部をアクチュエータから取り外したり、ヘッド部をアクチュエータに取り付けたりする際に、ヘッドの走査面同士の衝突は治具（ヘッドクリップ３１）の櫛歯により防止され、ヘッドの背面同士の衝突は治具（ヘッドクリップ３１）の仕切り板により防止される。
【実施例２】
【００３３】
図１６は、本発明の第２実施例における治具を示す斜視図である。本実施例では、本発明がヘッド部をアクチュエータから取り外す治具に適用されている。図１６に示すように、治具６１は、ベース６２、かしめ部６３、ノブ６４、アクチュエータ装着部６５等を有する。
【００３４】
図１７は治具６１のかしめ部６３を拡大して示す正面図であり、ヘッドクリップ３１が装着されたアクチュエータ１１が、アクチュエータ装着部６５に装着されている状態を示す。アクチュエータ１１のアクチュエータ装着部６５への装着は、周知の方法で行えるため、その図示及び説明は省略する。この状態でノブ６４を回すことにより、かしめ部６３がアクチュエータ１１のヘッド部１７−１と係合する方向に移動し、図１８に示す状態では、かしめ部６３がアクチュエータ１１のボス部１７２（図６参照）と係合している。図１８は、かしめ部６３がアクチュエータ１１のボス部１７２と係合した状態を示す正面図である。
【００３５】
図１９は、かしめ部６３を拡大して示す図であり、図１９中、（ａ）は治具６１の平面図、（ｂ）は治具６１の正面図である。ヘッド部１７−１をアクチュエータ１１から取り外す際には、ボス部１７２において、ベースプレート１７１とアクチュエータ１１との間に治具６１のかしめ部６３のテーパ刃６３Ａを対向する二カ所から挿入し、かしめられたボス部１７２をアクチュエータ１１の係合部から分離することで、ヘッド部１７−１をアクチュエータ１１から取り外すことができる。
【００３６】
このようにヘッド部１７−１をアクチュエータ１１から取り外す際には、図７と共に説明したように、ヘッド部１７−１が隣接するヘッド部分１７−１と衝突し易いが、ヘッドクリップ３１がアクチュエータ１１に装着されているので、ヘッドクリップ３１の櫛歯３４及び仕切り板３５が隣接するサスペンション１６同士の衝突を防止している。
【００３７】
尚、ヘッド部１７−１をアクチュエータ１１に取り付ける際には、図６と共に説明したように、治具のかしめボールを用いて、基本的にはかしめ部６３とは逆の作業を行えば良いので、その図示及び説明は省略する。
【００３８】
本実施例によれば、ヘッド部をアクチュエータから取り外したり、ヘッド部をアクチュエータに取り付けたりする際に、ヘッドの走査面同士の衝突は治具（ヘッドクリップ３１）の櫛歯により防止され、ヘッドの背面同士の衝突は治具（ヘッドクリップ３１）の仕切り板により防止される。
【実施例３】
【００３９】
図２０は、本発明の第３実施例における治具を示す斜視図である。本実施例では、本発明がヘッド部をアクチュエータから取り外す治具に適用されている。図２０中、図１６と同一部分には同一符号を付し、その説明は省略する。
【００４０】
図２１は、図２０に示す治具６１−１のアクチュエータ装着部６５を拡大して示す斜視図であり、図２２は、アクチュエータ装着部６５にアクチュエータ１１が装着された状態を拡大して示す斜視図である。図２１及び図２２において、アクチュエータ装着部６５に設けられた櫛歯１３４及び仕切り板１３５は、夫々第１実施例におけるヘッドクリップ３１の櫛歯３４及び仕切り板３５に対応する。アクチュエータ１１が周知の方法でアクチュエータ装着部６５に装着されると、アクチュエータ装着部６５の櫛歯１３４及び仕切り板１３５が隣接するサスペンション１６の間に挿入され、上記第１実施例におけるヘッドクリップ３１の櫛歯３４及び仕切り板３５と同様の機能を果たす。
【００４１】
櫛歯１３４及び仕切り板１３５は、静電気を生じにくい材料で形成することが望ましい。例えば、櫛歯１３４及び仕切り板１３５は、抵抗値が約１×１０１２Ω・ｍ以下の金属又は樹脂で形成される。又、櫛歯１３４及び仕切り板１３５は、アクチュエータ装着部６５の一部と一体的に形成されていても良い。
【００４２】
本実施例によれば、ヘッド部をアクチュエータから取り外したり、ヘッド部をアクチュエータに取り付けたりする際に、ヘッドの走査面同士の衝突は治具（治具６１−１）の櫛歯により防止され、ヘッドの背面同士の衝突は治具（治具６１−１）の仕切り板により防止される。
【実施例４】
【００４３】
図２３は、本発明の第４実施例における治具の一部を拡大して示す斜視図である。図２３中、図２１と同一部分には同一符号を付し、その説明は省略する。
【００４４】
上記第３実施例では、治具６１−１に櫛歯１３４及び仕切り板１３５が設けられている。これに対し、本実施例では、例えば図１に示す如き既存のヘッドクリップ１が装着された状態のアクチュエータ１１が、仕切り板１３５を有する治具６１−２に装着される。
【００４５】
仕切り板１３５は、静電気を生じにくい材料で形成することが望ましい。例えば、仕切り板１３５は、抵抗値が約１×１０１２Ω・ｍ以下の金属又は樹脂で形成される。又、仕切り板１３５は、アクチュエータ装着部６５の一部と一体的に形成されていても良い。
【００４６】
本実施例によれば、ヘッド部をアクチュエータから取り外したり、ヘッド部をアクチュエータに取り付けたりする際に、ヘッドの走査面同士の衝突は治具（治具６１−１）の櫛歯により防止され、ヘッドの背面同士の衝突は治具（治具６１−１）の仕切り板により防止される。又、既存のヘッドクリップを有効利用することができる。
【００４７】
上記実施例では、アクチュエータ１１がロード・アンロードタイプのものであるが、上記実施例における治具が適用可能なアクチュエータはロード・アンロードタイプのものに限定されない。
【００４８】
尚、本発明は、以下に付記する発明をも包含するものである。
（付記１）
回動支点とは反対側の先端部分にヘッドを有するアクチュエータに装着される治具であって、
走査面が互いに対向するヘッドが設けられた隣接するサスペンションの第１の対の間に挿入されて該第１の対を支持する櫛歯と、
該走査面とは反対側の背面が互いに対向するヘッドが設けられた隣接するサスペンションの第２の対の間に挿入されて該第２の対を規制する仕切り板を備えた、治具。
（付記２）
該櫛歯は、該アクチュエータの長手方向上、該回動支点と該ヘッドとの間の位置に挿入され、
該仕切り板は、該アクチュエータの先端部分に挿入される、付記１記載の治具。
（付記３）
位置決め用シャフトと、
基部が該位置決め用シャフトに結合され、先端が該櫛歯及び該仕切り板に結合されたヘッド固定用アームを更に備え、
該治具は、該位置決め用シャフトが該アクチュエータに設けられたヘッドクリップ挿入用穴に挿入された状態で該アクチュエータに対して回動されることで該櫛歯及び該仕切り板が該隣接するサスペンションの第１の対及び第２の対の間に挿入される、付記１又は２記載の治具。
（付記４）
該櫛歯及び該仕切り板は、該治具が該アクチュエータに対して回動されると、該櫛歯が先に該隣接するサスペンションの第１の対の間に挿入されてから該仕切り板が該隣接するサスペンションの第２の対の間に挿入される形状を有する、付記３記載の治具。
（付記５）
該治具が該アクチュエータに対して回動される際に最初に該隣接するサスペンションの第１の対の間に挿入される該櫛歯と第２の対の間に挿入される該仕切り板の各部分はテーパ形状を有する、付記３又は４記載の治具。
（付記６）
該ヘッド固定用アームに設けられ、該ヘッド固定用アームが該位置決め用シャフトから延びる方向に沿って延在する透明板を更に備え、
該仕切り板は該透明板に設けられている、付記３乃至５のいずれか１項記載の治具。
（付記７）
該治具が該アクチュエータに装着された状態で、該アクチュエータの長手方向と略直交する方向に延在して該アクチュエータの先端部分を保護するカバーを更に備えた、付記６記載の治具。
（付記８）
該治具が該アクチュエータに装着された状態で、該アクチュエータの長手方向と略直交する方向に延在して該アクチュエータの先端部分を保護するカバーを更に備えた、付記３乃至５のいずれか１項記載の治具。
（付記９）
該櫛歯及び該仕切り板は、夫々複数設けられている、付記１乃至５のいずれか１項記載の治具。
（付記１０）
単一のサスペンション及び該単一のサスペンションに設けられた単一のヘッドを有するヘッド部を該アクチュエータから取り外す際に、該ヘッド部と該アクチュエータとの間に挿入されるテーパ刃を更に備えた、付記１乃至９のいずれか１項記載の治具。
【００４９】
以上、本発明を実施例により説明したが、本発明は上記実施例に限定されるものではなく、本発明の範囲内で種々の変形及び改良が可能であることは言うまでもない。
【図面の簡単な説明】
【００５０】
【図１】従来のヘッドクリップの一例を示す斜視図である。
【図２】ヘッドクリップのアクチュエータへの装着を説明する図である。
【図３】ヘッドクリップのアクチュエータへの装着を説明する図である。
【図４】ヘッドアセンブリから１つのヘッド部が取り外された状態、或いは、ヘッドアセンブリに１つのヘッド部を取り付ける状態を説明する側面図である。
【図５】１つのヘッド部を示す上面図である。
【図６】図５のヘッド部の破線で囲んだ部分を拡大して示す図である。
【図７】ヘッド部の浮き上がりを説明する図である。
【図８】アクチュエータを有する磁気記憶装置の一例を示す平面図である。
【図９】本発明の第１実施例における治具を示す斜視図である。
【図１０】背面板とヘッドクリップを示す図である。
【図１１】ヘッドクリップが装着される様子を示すアクチュエータの底面図である。
【図１２】ヘッドクリップのアクチュエータへの装着を説明する正面図である。
【図１３】図１２において破線で囲んで示すヘッド部を拡大して示す正面図である。
【図１４】図１２において破線で囲んで示すヘッドクリップを拡大して示す側面図である。
【図１５】第１実施例の変形例における治具を示す斜視図である。
【図１６】本発明の第２実施例における治具を示す斜視図である。
【図１７】治具のかしめ部を拡大して示す正面図である。
【図１８】かしめ部がアクチュエータのボス部と係合した状態を示す正面図である。
【図１９】かしめ部を拡大して示す図である。
【図２０】本発明の第３実施例における治具を示す斜視図である。
【図２１】治具のアクチュエータ装着部を拡大して示す斜視図である。
【図２２】アクチュエータ装着部にアクチュエータが装着された状態を拡大して示す斜視図である。
【図２３】本発明の第４実施例における治具の一部を拡大して示す斜視図である。
【符号の説明】
【００５１】
１１      アクチュエータ
１５      ヘッドクリップ挿入用穴
１６      サスペンション
１８      ヘッド
３１      ヘッドクリップ
３２      位置決め用シャフト
３３      ヘッド固定用アーム
３４      櫛歯
３５      仕切り板
３８      背面板
３９      カバー
６１，６１−１，６１−２      治具
６５      アクチュエータ装着部
１３４      櫛歯
１３５      仕切り板
【図１】
2009223973.tif 000003
【図２】
2009223973.tif 000004
【図３】
2009223973.tif 000005
【図４】
2009223973.tif 000006
【図５】
2009223973.tif 000007
【図６】
2009223973.tif 000008
【図７】
2009223973.tif 000009
【図８】
2009223973.tif 000010
【図９】
2009223973.tif 000011
【図１０】
2009223973.tif 000012
【図１１】
2009223973.tif 000013
【図１２】
2009223973.tif 000014
【図１３】
2009223973.tif 000015
【図１４】
2009223973.tif 000016
【図１５】
2009223973.tif 000017
【図１６】
2009223973.tif 000018
【図１７】
2009223973.tif 000019
【図１８】
2009223973.tif 000020
【図１９】
2009223973.tif 000021
【図２０】
2009223973.tif 000022
【図２１】
2009223973.tif 000023
【図２２】
2009223973.tif 000024
【図２３】
2009223973.tif 000025